(57)【特許請求の範囲】
【請求項１】
内視鏡の体内挿入部を挿通する筒状部の両端に、吐き出し防止用鍔部と飲み込み防止用鍔部とを設けた内視鏡用マウスピースにおいて、筒状部と飲み込み防止用鍔部の少なくとも一方に、その壁面を貫通させて吸液性を有する吸液材を保持するための貫通孔を設けた内視鏡用マウスピース。
【請求項２】
請求項１に記載の内視鏡用マウスピースにおいて、該貫通孔を縁部と連通させるスリットを有する内視鏡用マウスピース。
【請求項３】
請求項１または２のいずれか１項に記載の内視鏡用マウスピースにおいて、体内挿入部をその長手方向と直交する方向から筒状部内に挿通するための、長手方向全長にわたる切り欠きを有する内視鏡用マウスピース。
【請求項４】
請求項１から３のいずれか１項に記載の内視鏡用マウスピースにおいて、該貫通孔が複数備えられた内視鏡用マウスピース。
【発明の詳細な説明】
【０００１】
【技術分野】
内視鏡用のマウスピースに関する。
【０００２】
【従来技術およびその問題点】
【０００３】
従来、上部消化管の内視鏡検査では、被験者が内視鏡の体内挿入部（可撓管）を噛むことを防ぐ目的で内視鏡用マウスピースが使用される。観察者は手で可撓管を持って被験者の体腔内に挿入していく。可撓管との摺擦による被験者の咽喉部の苦痛を和らげるために、可撓管の挿入はキシロカインゼリー等の潤滑剤を可撓管部外壁に塗布しながら行われるが、この潤滑剤のために観察者の手が滑って可撓管が挿入しにくくなる。また被験者の分泌物で可撓管が汚染され、観察者が他の装置を操作すればそちらも観察者の手についた潤滑剤や分泌物で汚染されてしまうため、操作上も衛生管理上も不都合があった。
【０００４】
【発明の目的】
本発明は以上の問題点を考慮し、内視鏡の操作環境の汚染を防止することを目的とする。
【０００５】
【発明の概要】
内視鏡の体内挿入部を挿通する筒状部の両端に、吐き出し防止用鍔部と飲み込み防止用鍔部とを有する内視鏡用マウスピースに、吸液性を有する吸液材を保持するための貫通孔を設けたことに特徴を有する。前記貫通孔は、飲み込み防止用鍔部または筒状部の壁面を貫通している。また、前記貫通孔に縁部と連通させるスリットを形成すると布の着脱が容易である。上記貫通孔を複数備えてもよい。内視鏡を長手方向と直角な方向から挿入できる切り欠きを形成すれば、内視鏡の着脱が容易である。
【０００６】
【発明の実施の形態】
図１から図４に本発明による第１の実施形態を示す。図１は本実施形態による内視鏡用マウスピース１０であって、内視鏡の体内挿入部（可撓管）１２を挿通する、断面外周形状が長円形である筒状部１０ｃの前後両端にそれぞれ吐き出し防止用鍔部１０ａと飲み込み防止用鍔部１０ｂが設けられており、これらは一体に成形されている。この飲み込み防止用鍔部１０ｂは筒状部１０ｃの長円形短軸方向両側に張り出していて、それぞれ壁面に貫通した長穴である布保持貫通孔１０ｄが設けてある。内視鏡用マウスピース１０の材料は、噛んだときに可撓管の挿通を妨げるほどには変形しない程度の硬さを有し、かつ口腔内を傷つけたりすることのない軟質プラスチックなどが望ましい。
【０００７】
被験者は、図３のように内視鏡用マウスピース１０の吐き出し防止用鍔部１０ａを口内、飲み込み防止用鍔部１０ｂを口外にして筒状部１０ｃをくわえて装着する。このとき筒状部１０ｃの長円形長軸方向が被験者の口の横方向に一致する。図４のように、布保持貫通孔１０ｄには吸液性を有する吸液材（ガーゼ）１１を挿入して保持させる。観察者はこの状態で筒状部１０ｃを通じて可撓管１２を体腔内に挿入する。
【０００８】
本実施形態の内視鏡用マウスピース１０によれば被験者の口元にガーゼ１１を備えられるので、可撓管１２に塗布して観察者の手に付着した潤滑剤や被験者の分泌物を、ガーゼ１１ですばやく拭きとることができる。また、ガーゼ１１を口元に被せておくことにより、被験者の嘔吐による汚物の飛散を防ぐことができる。
【０００９】
図４では２箇所の布保持貫通孔１０ｄのうち１箇所にガーゼを挿入したが、２箇所に挿入してもよい。
【００１０】
図５と図６に本発明による第２の実施形態を示す。図５は本実施形態による内視鏡用マウスピース１０である。この内視鏡用マウスピース１０の飲み込み防止用鍔部１０ｂは、筒状部１０ｃの長円形長軸方向両側に張り出していて、それぞれ壁面を貫通した長穴である布保持貫通孔１０ｄが設けてある。長円形短軸方向には、鼻が当たるのを防ぐために逃げ部１０ｅが設けてある。
【００１１】
被験者は第１の実施形態と同様に、筒状部１０ｃの長円形長軸方向を被験者の口の横方向に一致させて内視鏡用マウスピース１０を装着する。布保持貫通孔１０ｄにはガーゼ１１を挿入して保持させる。観察者はこの状態で筒状部１０ｃを通じて可撓管１２を体腔内に挿入する。可撓管１２を挿入した状態を図６に示す。
【００１２】
本実施形態では、図６に示すように、側臥状態である被験者の口元上下にガーゼ１１が保持されるので、被験者の嘔吐による汚物の飛散を防ぐ効果が高い。
【００１３】
図７に本発明による第３の実施形態を示す。本実施形態では内視鏡用マウスピース１０に長手方向全長にわたり、内視鏡用マウスピース１０を長手方向と直交する方向から可撓管１２に着脱するための切り欠き１０ｆを形成したものである。すなわち可撓管１２を挿通する部分が溝状となり、内視鏡用マウスピース１０を長手方向と直交する方向から可撓管１２に着脱できるので、可撓管１２の先端から内視鏡用マウスピース１０を通過させる必要がない。例えば内視鏡用マウスピース１０を装着せずに可撓管１２を被験者の体腔内に挿入してしまっても、可撓管１２を抜き去ることなく可撓管１２の中途に内視鏡用マウスピース１０を装着できるので、被験者に無用な苦痛を与えずにすむという利点がある。
【００１４】
また、図７に２点鎖線で示したスリット１０ｇを形成すれば、布保持貫通光１０ｄが弾性変形し易くなり、またスリット１０ｇを通して、容易にガーゼ１１を着脱できる。
【００１５】
図８に本発明による第４の実施形態を示す。上記実施形態では布保持貫通孔１０ｄはいずれも飲み込み防止用鍔部１０ｂに形成したものであるが、図８に示すように筒状部１０ｃを長くしてこの側面に布保持貫通孔１０ｄを形成してもよい。
【００１６】
【発明の効果】
以上のように本発明によれば、内視鏡用マウスピースに布保持貫通孔を設けたので、内視鏡の操作を妨げる汚染を防ぐことができる。
【図面の簡単な説明】
【図１】本発明による第１の実施形態を示す斜視図である。
【図２】図１の上半分を断面にしたII−II断面図である。
【図３】内視鏡用マウスピースを被験者が装着した状態を示す。
【図４】本発明による内視鏡用マウスピースを被験者が装着した状態を示す。
【図５】本発明の第２の実施形態を示す全体図である。
【図６】本発明の第２の実施形態による内視鏡用マウスピースを被験者が装着し、内視鏡を導入した状態を示す。
【図７】本発明の第３の実施形態による内視鏡用マウスピースを示す斜視図である。
【図８】筒状部の側面に布保持部を形成した例を示す。
【符号の説明】
１０  内視鏡用マウスピース
１０ａ吐き出し防止用鍔部
１０ｂ飲み込み防止用鍔部
１０ｃ筒状部
１０ｄ布保持貫通孔
１０ｅ逃げ部
１０ｆ切り欠き
１０ｇスリット
１１  吸液材（ガーゼ）
１２  内視鏡の体内挿入部（可撓管）
【図１】
0004338258.tif 000002
【図２】
0004338258.tif 000003
【図３】
0004338258.tif 000004
【図４】
0004338258.tif 000005
【図５】
0004338258.tif 000006
【図６】
0004338258.tif 000007
【図７】
0004338258.tif 000008
【図８】
0004338258.tif 000009